(57)【特許請求の範囲】
【請求項１】
テレビカメラ（ＣＭ１）で撮像された映像信号（ｆ１）を変調して伝送する子機（ＢＱ１）と、伝送されてきた前記映像信号を復調してモニタ（Ｍ１）で出画する親機（ＡＱ１）とを備え、
前記子機には、前記子機又はその周囲に設置される明暗センサ、人体センサ、雨センサ等のセンサ（１）と、前記センサの出力信号に応じて前記映像信号の垂直同期信号のバックポーチ部分でキャリアを断続させることにより連動データとして前記映像信号に編成する手段とを設け、
前記親機には、前記子機より伝送されてきた前記映像信号から前記連動データを再生する手段を設けたことを特徴とするテレビドアホン装置。
【発明の詳細な説明】
【０００１】
【発明の属する技術分野】
本発明はテレビドアホン装置に係わり、特に映像信号を変調して伝送し、映像信号の垂直同期信号のバックポーチ部分でキャリアを断続させて、複数のデータ（情報）を子機から親機に伝送可能なテレビドアホン装置に関する。
【０００２】
【従来の技術】
従来から、この種のテレビドアホン装置として、図３に示すものが提案されている。
図３に示すテレビドアホン装置は、２線の伝送路ＬＮ５１、ＬＮ５２を介して合計４線で接続されている親機ＡＱ５１、子機ＢＱ５１と、夜間でも鮮明な映像をモニタするために点灯する外設照明表示灯７１と、外設照明表示灯７１を接続するための外設照明連動端子Ｔ５１、Ｔ５２と、外設照明表示灯７１へ電源供給するためのＡＣ電源プラグ８１とが設けられている。
【０００３】
また、前述の親機ＡＱ５１には映像信号ｆ５１を出画するモニタＭ５１が備えられており、更に、子機ＢＱ５１には子機ＢＱ５１の設置場所周辺（近傍）の明暗を感知するセンサ５１が備えられている。
このように構成されたテレビドアホン装置において、親機ＡＱ５１から一方の伝送路ＬＮ５１を介して供給される子機電源により常時通電されている待受状態の子機ＢＱ５１にて、来訪者が親機ＡＱ５１を呼び出すために呼出操作することにより、子機ＢＱ５１より（初回）呼出信号ｆ５０が生成送出され、一方の伝送路ＬＮ５１を介して親機ＡＱ５１にて呼出検出される。
【０００４】
また、子機ＢＱ５１のテレビカメラＣＭ５１にて撮像送出される映像信号ｆ５１は、６ＭＨｚのＦＭ信号として一方の伝送路ＬＮ５１を介して親機ＡＱ５１に伝送されモニタＭ５１にて出画される。更に、子機ＢＱ５１および親機ＡＱ５１間で一方の伝送路ＬＮ５１を介してベースバンド信号である通話のための音声信号ｆ５３の送受が可能となる。
【０００５】
尚、親機ＡＱ５１のモニタＭ５１にて映像信号ｆ５１が出画中に、来訪者が親機ＡＱ５１を呼び出すために呼出操作することにより生成送出される呼出信号ｆ６０は、映像信号ｆ５１のキャリアを垂直同期信号部分で断続させることにより、映像信号ｆ５１の連動データとして一方の伝送路ＬＮ５１を介して親機ＡＱ５１に伝送される。
子機ＢＱ５１に内蔵されているセンサ５１は、子機ＢＱ５１の設置場所周辺（近傍）の明暗により抵抗値が変化することから、子機ＢＱ５１内で前述の抵抗値変化を検出２値化して明暗のセンサ出力信号ｆ５２として出力する。このセンサ出力信号ｆ５２は他方の伝送路ＬＮ５２の直流電位を変化させ、親機ＡＱ５１にて入力検知される。また、親機ＡＱ５１に入力されたセンサ出力信号ｆ５２が暗いと判別された場合には、外設照明スイッチＲＳ５１が閉成されることから、外設照明連動端子Ｔ５１、Ｔ５２間が導通される。よって、ＡＣ電源プラグ８１を介してＡＣ電源が外設照明表示灯７１に供給され該表示灯が点灯されることから、夜間でも鮮明な映像を親機ＡＱ５１にてモニタすることが可能となる。
【０００６】
【発明が解決しようとする課題】
しかしながら、従来のテレビドアホン設置は以上のように構成されているので、カメラ設置場所である子機の周囲（近傍）の明暗のデータ（情報）を親機に伝送するための伝送路を敷設しなければならないという難点があった。
本発明はこのような難点を解消するためになされたもので、映像信号の垂直同期信号のバックポーチ部分で複数のパターンでキャリアの断続を行うことにより、出画中の呼出信号以外のデータ（情報）の伝送路を敷設せずに伝送可能なテレビドアホン装置を提供することを目的とする。
【０００７】
【課題を解決するための手段】
このような目的を達成するために本発明のテレビドアホン装置は、テレビカメラで撮像された映像信号を変調にして伝送する子機と、伝送されてきた映像信号を復調してモニタで出画する親機とを備え、子機には、子機又はその周囲に設置される明暗センサ、人体センサ、雨センサ等のセンサと、センサの出力信号に応じて映像信号の垂直同期信号のバックポーチ部分でキャリアを断続させることにより連動データとして映像信号に編成する手段とを設け、親機には子機より伝送されてきた映像信号から連動データを再生する手段を設けたものである。
【０００８】
このようなテレビドアホン装置において、子機と親機間で一本の伝送路を介して送受される複数のデータ（情報）のうち、子機のセンサにて感知される明暗のセンサ出力信号に応じて、テレビカメラにて撮像送出された映像信号の垂直同期信号のバックポーチ部分で映像信号のキャリアを複数回（２回）連続して断続させることにより、出画中の呼出信号とセンサにて感知される明暗のセンサ出力信号である各データ（情報）を区別して映像信号の連動データとして親機に伝送する。
【０００９】
【発明の実施の形態】
以下、本発明のテレビドアホン装置の一実施例について、図面を参照して説明する。
図１に示すテレビドアホン装置は、２線の伝送路ＬＮ１を介して接続されている親機ＡＱ１、子機ＢＱ１と、夜間でも鮮明な映像をモニタするために点灯する外設照明表示灯２１と、外設照明表示灯２１を接続するための外設照明連動端子Ｔ１１、Ｔ１２と、外設照明表示灯２１へ電源供給するためのＡＣ電源プラグ３１とが設けられている。
【００１０】
子機ＢＱ１は、子機ＢＱ１の設置場所周辺（近傍）の明暗を感知するセンサ１と、コンパレータ２と、親機ＡＱ１との通話のための音声信号ｆ３の送受を行うためにスピーカＳＰ１とマイクＭＩＣ１が接続されている音声回路３と、来訪者等を撮像し映像信号ｆ１を生成送出するテレビカメラＣＭ１と、映像信号ｆ１をＦＭ変調して送出するＦＭ変調回路４と、ＦＭ変調された映像信号ｆ１のキャリアを断続させるためにＯＮ／ＯＦＦされるアナログスイッチＡＳＷ１と、来訪者が親機ＡＱ１を呼び出すために押下操作する呼出スイッチＳＷ１と、制御装置ＣＰＵ１と、前述の子機ＢＱ１の各回路に電源供給する電源回路５とが設けられている。
【００１１】
センサ１はコンパレータ２を介して制御装置ＣＰＵ１の入力側に接続されている。他端が基準電位点に接続されている呼出スイッチＳＷ１の一端は制御装置ＣＰＵ１の入力側に接続されている。スピーカＳＰ１とマイクＭＩＣ１が接続されている音声回路３は制御装置ＣＰＵ１の出力側と、電源回路５と子機側端子Ｔ１間に夫々接続されている。
【００１２】
テレビカメラＣＭ１の一方の出力側は制御装置ＣＰＵ１の入力側に接続されており、テレビカメラＣＭ１の他方の出力側はＦＭ変調回路４、アナログスイッチＡＳＷ１を介して音声回路３の出力側と子機側端子Ｔ１間に接続されている。また、制御装置ＣＰＵ１の出力側はアナログスイッチＡＳＷ１の入力側に接続されている。
【００１３】
親機ＡＱ１は、待受状態の子機ＢＱ１にて生成送出される初回の呼出信号である呼出信号ｆ０で呼出検出する初回呼出検出回路１１と、子機ＢＱ１よりＦＭ変調され伝送された映像信号ｆ１をＦＭ復調するＦＭ復調回路１２と、ＡＭ復調回路１３と、子機ＢＱ１との通話のための音声信号ｆ３の送受を行うためにスピーカＳＰ１１とマイクＭＩＣ１１が接続されている音声回路１４と、子機ＢＱ１の各回路へ電源を供給する子機電源供給回路１５と、ＦＭ復調された映像信号ｆ１を出画するモニタＭ１と、制御装置ＣＰＵ１１と、リレーＲＹ１と、リレーＲＹ１の動作により連動する外設照明スイッチＲＳ１と、コイルＬ１と、コンデンサＣ１とが設けられている。
【００１４】
子機電源供給回路１５の出力側はコイルＬ１を介して親機側端子Ｔ２に接続されている。スピーカＳＰ１１とマイクＭＩＣ１１が接続されている音声回路１４はコンデンサＣ１およびコイルＬ１を介して親機側端子Ｔ２に接続されている。
入力側が親機側端子Ｔ２に接続されているＦＭ復調回路１２の出力側は、モニタＭ１の入力側に接続されている。また、入力側が親機側端子Ｔ２に接続されている初回呼出回路１１の出力側とＡＭ復調回路１３の出力側は、制御装置ＣＰＵ１１の入力側に夫々接続されている。
【００１５】
制御装置ＣＰＵ１１の出力側は、音声回路１４の入力側と、他端が基準電位点に接続されているリレーＲＹ１の一端に夫々接続されている。
外設照明スイッチＲＳ１の両端子間には外設照明連動端子Ｔ１１、Ｔ１２が接続されている。また、外設照明連動端子Ｔ１１、Ｔ１２の両端子間には外設照明表示灯２１とＡＣ電源プラグ３１とが夫々接続されている。
【００１６】
このように構成された本発明のテレビドアホン装置において、以下、その動作について説明する。
子機ＢＱ１の各回路は、親機ＡＱ１の子機電源供給回路１５から伝送路ＬＮ１を介して電源（子機電源）が電源回路５より供給されていることから常時通電されている。
【００１７】
常時通電されている待受状態において、来訪者が子機ＢＱ１の呼出スイッチＳＷ１を押下操作することにより制御装置ＣＰＵ１は初回の呼出信号である呼出信号ｆ０を生成送出する。この呼出信号ｆ０は音声回路３→子機側端子Ｔ１→伝送路ＬＮ１→親機側端子Ｔ２と介して初回呼出検出回路１１にて呼出検出され制御装置ＣＰＵ１１に入力される。また、呼出信号ｆ０を入力した制御装置ＣＰＵ１１は音声回路１４を能動にさせることから、親機ＡＱ１の音声回路１４に接続されているスピーカＳＰ１１、マイクＭＩＣ１１と、伝送路ＬＮ１を介して子機ＢＱ１の音声回路３に接続されているスピーカＳＰ１、マイクＭＩＣ１間において、ベースバンド信号である通話のための音声信号ｆ３の送受が可能となる。
【００１８】
子機ＢＱ１のテレビカメラＣＭ１にて撮像送出される呼出中の来訪者の映像信号ｆ１はＦＭ変調回路４にてＦＭ変調され６ＭＨｚのＦＭ信号として、アナログスイッチＡＳＷ１→子機側端子Ｔ１→伝送路ＬＮ１→親機側端子Ｔ２と介して、ＦＭ復調回路１２にてＦＭ復調されモニタＭ１より出画される。
尚、親機ＡＱ１のモニタＭ１にて映像信号ｆ１が出画中に、来訪者が親機ＡＱ１を呼び出すために呼出スイッチＳＷ１を押下操作することにより制御装置ＣＰＵ１は呼出信号ｆ１０を生成送出する。また、テレビカメラＣＭ１のタイミングジェネレータより出力される信号が制御装置ＣＰＵ１に入力されることにより、制御装置ＣＰＵ１は映像信号ｆ１の垂直同期信号のバックポーチ部でキャリアを１回断続させる制御信号をアナログスイッチＡＳＷ１に出力する。よって、ＦＭ変調回路４にてＦＭ変調された映像信号ｆ１のキャリアをアナログスイッチＡＳＷ１で１回断続させることにより、呼出信号ｆ１０は映像信号ｆ１の連動データとして伝送路ＬＮ１を介して親機ＡＱ１に伝送される。
【００１９】
子機ＢＱ１に内蔵されているセンサ１で感知される子機ＢＱ１の設置場所周辺（近傍）の明暗のデータは電圧変換され、コンパレータ２を介して明るい、または暗いの何れかに２値化されたセンサ出力信号ｆ２として制御装置ＣＰＵ１に入力される。ここで、上述のテレビカメラＣＭ１にて来訪者の映像が撮像された際に、テレビカメラＣＭ１のタイミングジェネレータから出力される制御信号が制御装置ＣＰＵ１に入力され、かつ、前述の制御装置ＣＰＵ１に入力されたセンサ出力信号ｆ２が暗いと判別された場合には、制御装置ＣＰＵ１はテレビカメラＣＭ１から生成送出されＦＭ変調された映像信号ｆ１の垂直同期信号のバックポーチ部分でキャリアを２回断続させるような制御信号をアナログスイッチＡＳＷ１に出力する。
【００２０】
アナログスイッチＡＳＷ１によって、図２のように映像信号ｆ１の垂直同期信号のバックポーチ部分でキャリアが２回連続して断続されることにより、センサ出力信号ｆ２は映像信号ｆ１の連動データとして伝送され、伝送路ＬＮ１を介して親機ＡＱ１のＡＭ復調回路１３に入力される。ＡＭ復調回路１３は、入力された垂直同期信号のバックポーチ部分でキャリアが２回連続して断続された映像信号ｆ１を包絡線検波後、波形整形し制御装置ＣＰＵ１１へ出力する。制御装置ＣＰＵ１１はノイズ信号と区別するために、復調信号パルスの周期と周期（信号）幅を検出しセンサ出力信号ｆ２を検出して、暗いというデータを正常に判別した際にリレーＲＹ１を能動にさせるような制御信号を出力する。
【００２１】
リレーＲＹ１が能動にされることにより、連動して外設照明スイッチＲＳ１が閉成されることから外設照明連動端子Ｔ１１、Ｔ１２間が導通される。よって、ＡＣ電源プラグ３１を介し外設照明表示灯２１にＡＣ電源が供給され、該表示灯が点灯されることから、夜間でも鮮明な映像を親機ＡＱ１にてモニタすることが可能となる。
【００２２】
尚、上記実施例ではキャリア断続の周期を１フレーム毎の場合を示したが、複数フィールド毎であっても良い。また、上記実施例ではキャリア断続の回数を２回の場合を示したが、それ以上でも良い。
更に、上記実施例ではキャリア断続の回数により出画中の呼び出しと明暗のデータ（情報）とを区別する例を示したが、キャリア断続の時間を検出しても同様の効果を奏する。また、上記実施例では明暗センサからのデータ（情報）を親機に伝送する場合について示したが、人体センサ、雨センサ等のセンサに適用しても同様の効果を奏する。
【００２３】
【発明の効果】
以上の説明から明らかなように、本発明のテレビドアホン装置によれば、垂直同期信号のバックポーチ部分で映像信号のキャリアを断続する際、断続の方法が複数のパターンを持つように構成したので、伝送路の敷設なしに子機または子機周辺（近傍）に設置される各種センサから出力されるデータ（情報）を親機に伝送できる。
【図面の簡単な説明】
【図１】本発明のテレビドアホンの一実施例を示すブロック図。
【図２】本発明のテレビドアホンのキャリア断続を示す波形図。
【図３】従来のテレビドアホン装置を示すブロック図。
【符号の説明】
ＡＱ１・・・・・親機
ＢＱ１・・・・・子機
Ｍ１・・・・・モニタ
ＣＭ１・・・・・テレビカメラ
１・・・・・センサ
ｆ１・・・・・映像信号
【図１】
0003574309.tif 000002
【図２】
0003574309.tif 000003
【図３】
0003574309.tif 000004